(57)【特許請求の範囲】
【請求項１】
断面視略円形状の内周面を有するケースと、
該ケースに回動可能に挿入される略円柱形状のプラグと、
前記ケースに回動可能に挿入されるとともにカムを固着することが可能なベースプラグと、
前記プラグ及び前記ベースプラグ間に介在するジョイントチップと、
該ジョイントチップを前記プラグに向けて付勢するバネ部材と、
前記ベースプラグの回動を規制する回動規制部材と、
を備えた可変コード型のシリンダ錠であって、
前記ケースは、前記ケースの軸の方向に沿って形成され、前記回動規制部材が係入、離脱する凹みを有し、
前記プラグは、前記ケースの軸の方向に沿って貫通する鍵孔と、該鍵孔に連通するとともに前記バネ部材により付勢される前記ジョイントチップが係合、離脱するプラグ側被係合部とを有し、
前記ベースプラグは、前記バネ部材により付勢される前記ジョイントチップが係合するとともに、前記プラグ側被係合部に対向して配置されるベース側被係合部を有し、
前記ジョイントチップは、前記プラグ側被係合部及び前記ベース側被係合部に対応し、かつ前記軸の方向に対し直交方向に延在されて形成されるジョイントチップ側係合部と、前記直交方向の端部に形成されて、前記回動規制部材を駆動する駆動部とを有し、
且つ、前記鍵孔を介して前記ジョイントチップが前記ベースプラグに向け押動されると、前記プラグ側被係合部及び前記ベース側被係合部に跨って係合していた前記ジョイントチップの前記ジョイントチップ側係合部が前記プラグ側被係合部から離脱するとともに、前記ジョイントチップの前記駆動部が前記回動規制部材を駆動して前記ベースプラグの回動を規制し、前記プラグのみの回動を許容する構成にした
ことを特徴とするシリンダ錠。
【請求項２】
断面視略円形状の内周面を有するとともに、該内周面に外方へ窪む係合凹部を一体に形成したケースと、
該ケースに回動可能に挿入される略円柱形状のプラグと、
該プラグに対して各々前記軸に直交方向に挿入されるタンブラー、タンブラプレート、レトラクター、及びサイドバーと、
前記ケースに回動可能に挿入されるとともにカムを固着することが可能なベースプラグと、
前記プラグ及び前記ベースプラグ間に介在するジョイントチップと、
該ジョイントチップを前記プラグに向けて付勢するバネ部材と、
前記ベースプラグの回動を規制する回動規制部材と、
を備え、前記タンブラーの位置を変えることでコードの変更が可能な可変コード型のシリンダ錠であって、
前記ケースは、前記ケースの軸の方向に沿って形成され、前記回動規制部材が係入、離脱する凹みを有し、
前記プラグは、前記タンブラー及び前記タンブラプレートを収容するタンブラー孔と、前記レトラクターを収容するレトラクター収容孔と、前記サイドバーを収容するサイドバー収容孔と、前記軸の方向に沿って貫通する鍵孔と、該鍵孔に連通するプラグ側被係合部とを有し、
前記タンブラー孔は、前記鍵孔に交叉して該鍵孔に連通するとともに、前記軸の方向に沿って複数配置形成され、前記レトラクター収容孔は、前記タンブラー孔の相対向する内壁面の一方壁を貫通して形成され、前記サイドバー収容孔は、前記レトラクター収容孔の反対側に位置するとともに前記内壁面の他方壁を貫通して形成され、前記プラグ側被係合部は、前記バネ部材により付勢される前記ジョイントチップが係合、離脱可能に形成され、
前記タンブラーは、前記タンブラプレートに対する係合部を有し、前記タンブラプレートは、前記係合部が係合する被係合部と、前記サイドバーの後端部が係入、離脱するサイドバー係合溝とを有し、前記レトラクターは、一方に前記内周面に接触、或いは前記係合凹部に没入する隆起を有し、前記サイドバーは、前記内周面に向けてバネ付勢されるとともに、前記内周面に接触、或いは前記係合凹部に没入する先端部を有し、
前記ベースプラグは、前記バネ部材により付勢される前記ジョイントチップが係合するとともに、前記プラグ側被係合部に対向して配置されるベース側被係合部を有し、
前記ジョイントチップは、前記プラグ側被係合部及び前記ベース側被係合部に対応し、かつ前記軸の方向に対し直交方向に延在されて形成されるジョイントチップ側係合部と、前記直交方向の端部に形成されて、前記回動規制部材を駆動する駆動部とを有し、
前記レトラクターの前記一方が前記内周面に対して接触状態にある場合は、前記レトラクターの前記他方が前記タンブラーに作用して該タンブラーの前記係合部と前記タンブラプレートの前記被係合部とが係合し、前記レトラクターの前記一方が前記係合凹部に没入状態となった場合には、前記レトラクターによる前記作用が解除されて前記係合部が前記被係合部から離脱可能になり、
前記サイドバーの前記先端部が前記係合凹部に没入状態にある場合は、前記サイドバーの後端部が前記サイドバー係合溝に一致しない限り前記サイドバーは前記プラグの回動を規制するように作用し、前記サイドバーの前記先端部が前記内周面に対して接触状態となった場合には、前記サイドバーの後端部が前記サイドバー係合溝に係入して前記サイドバーが前記タンブラプレートの移動を規制する構成であり、
且つ、前記タンブラー孔に挿入される前記タンブラーを、前記鍵孔に挿入されるキーの二つのコード部により各々独立して駆動される第一タンブラーと第二タンブラーとで構成し、
且つ、前記鍵孔を介して前記ジョイントチップが前記ベースプラグに向け押動されると、前記プラグ側被係合部及び前記ベース側被係合部に跨って係合していた前記ジョイントチップの前記ジョイントチップ側係合部が前記プラグ側被係合部から離脱するとともに、前記ジョイントチップの前記駆動部が前記回動規制部材を駆動して前記ベースプラグの回動を規制し、前記プラグのみの回動を許容する構成にした
ことを特徴とするシリンダ錠。
【請求項３】
請求項２に記載のシリンダ錠において、
前記第一タンブラーと前記第二タンブラーとを、前記軸の方向に重ねた状態に配置するとともに、前記第一タンブラーと前記第二タンブラーの前記係合部間に間隙を形成したことを特徴とするシリンダ錠。
【請求項４】
請求項１ないし請求項３いずれか記載のシリンダ錠において、
前記駆動部は、前記回動規制部材が前記直交方向へ駆動される際に摺接する傾斜面を有することを特徴とするシリンダ錠。
【請求項５】
請求項１ないし請求項４いずれか記載のシリンダ錠において、
前記回動規制部材を、前記ベースプラグに形成した貫通孔に遊嵌させたことを特徴とするシリンダ錠。
【発明の詳細な説明】
【０００１】
【発明の属する技術分野】
本発明は、扉などに固着されるシリンダ錠に関し、キーコードの変更が可能な可変コード型のものを含むシリンダ錠に関する。
【０００２】
【従来の技術】
シリンダ錠は、キーを鍵孔に挿入して回動操作することにより、簡単に扉などが施錠、解錠され、施錠操作をしてキーを抜き取ると、他人が解錠することが阻止されるので非常に便利である。このようなシリンダ錠は、自動販売機の扉やロッカーの扉など、広い分野に用いられている。
【０００３】
シリンダ錠には、キーを紛失したり、或いは合い鍵を造られる危険性が生じた場合に対応することができるように、シリンダ錠のキーコードのみを異なるものに変更することができる可変コード型のシリンダ錠がある。その可変コード型シリンダ錠には、キーコードを旧コードに復帰できないものと、リセット機構により自由にコード復帰できるもの（特開平５−２７２２６３号，特開平３−２３４２７５号の公報参照）とがある。
【０００４】
旧コードに復帰できるタイプの可変コード型シリンダ錠は、幾度もコードを変更できると言う利点があり、多用されている。
【０００５】
以下、従来のシリンダ錠について、可変コード型シリンダ錠を一例に挙げて説明する（本願出願人が先に提案し、特開平７−２６９１８９号公報に開示された可変コード型シリンダ錠を一例とする）。
【０００６】
図５８ないし図７１のいずれかにおいて、可変コード型シリンダ錠は、ケース２３１（引用符号は上記公報の引用符号に２００をプラスして説明する。以下同様）とプラグ２３６とレトラクター２４４とサイドバー２５２と可変タンブラー２４７とタンブラプレート２５４とジョイントカム２６０とリセットピン２６７とを備えて構成されている。
【０００７】
ケース２３１は、筒状に形成された内周面を有しており、その内周面には、傾斜面で接続する係合凹部２３５が形成されている。
【０００８】
プラグ２３６は、前面に開口する鍵孔２３７と、その鍵孔２３７に交叉するタンブラー孔２３８、２３９と、タンブラー孔２３９の一方の内壁面を貫通するサイドバー収容孔２５１と、タンブラー孔２３９の他方の内壁面を貫通するレトラクター収容孔２４２と、後部に形成される小径部２５７に設けられるリセットピン挿入孔２５９とを有を有しており、ケース２３１に回動可能に挿入されている。
【０００９】
タンブラー孔２３９は、プラグ２３６の軸方向に複数配列されている。また、サイドバー収容孔２５１は、各タンブラー孔２３９の一方の内壁面に貫通する長孔状に形成されており、レトラクター収容孔２４２は、各タンブラー孔２３９の他方の内壁面に貫通する長孔状に形成されている。
【００１０】
レトラクター２４４は、係合凹部２３５に係合する係合突起２４５を端部に有しており、レトラクター収容孔２４２に挿入されている。
サイドバー２５２は、バネ付勢され先端部が係合凹部２３５に係合するようになっており、サイドバー収容孔２５１に挿入されている。
【００１１】
可変タンブラー２４７は、一方側にキーに係合するキー係合溝２５０と、鋸歯状の噛合部２４８とを有しており、他方側の面がレトラクター２４４に滑り接触するとともに、タンブラー孔２３９に挿入されている。タンブラー孔２３８には、タンブラー２７４が挿入されている。
【００１２】
タンブラプレート２５４は、一方にサイドバー係合溝２５５を有しており、他方には、噛合部２４８に係脱する被噛合部２５６が設けらている。タンブラプレート２５４は、可変タンブラー２４７と同様にタンブラー孔２３９に挿入されている。
【００１３】
ジョイントカム２６０は、ケース２３１と小径部２５７との間に回動可能に挿入される筒部２６１にリセットピン挿入孔２５９と重なる切欠部２６５を有しており、軸部２６３には施錠カム２６４がねじ止めされている。
【００１４】
リセットピン２６７は、リセットピン挿入孔２５９に挿入されており、外部から操作可能なリセットボタン２７２が当接している。また、ジョイントカム２６０の切欠部２６５に向けて突出する方向に付勢されている。
【００１５】
可変コード型シリンダ錠の作用について説明する。
初期コードに設定されている可変コード型シリンダ錠の施錠状態、初期設定キーによる解錠操作、一次可変キーによるコード変換操作の順に説明する。
【００１６】
初期コードに設定されている可変コード型シリンダ錠は、サイドバー２５２の先端部２５２ａがプラグ２３６から突出してケース２３１の係合凹部２３５に係入し、タンブラプレート２５４はサイドバー２５２の後端部に当接している。サイドバー２５２のプラグ２３６内没入が阻止されているので、プラグ２３６は回動不能である。レトラクター２４４はプラグ２３６内に没入し、レトラクター２４４に押された可変タンブラー２４７はタンブラプレート２５４と噛み合い状態にある。
【００１７】
リセットピン２６７は、プラグ２３６から突出してジョイントカム２６０に係入している。
【００１８】
初期コードに設定された可変コード型シリンダ錠が上述のような施錠状態にあるとき、鍵孔２３７に初期設定キーＫが挿入されると、そのキーＫが可変タンブラー２４７のキー係合溝２５０を押動し、可変タンブラー２４７がレトラクター２４４に滑り接触しながら移動する。
【００１９】
可変タンブラー２４７と噛み合っているタンブラプレート２５４は、可変タンブラー２４７と一体となって移動し、サイドバー係合溝２５５がサイドバー２５２の後端部に重なると、サイドバー２５２はプラグ２３６内に没入可能になる。
【００２０】
初期設定キーＫを回動操作すると  サイドバー２５２が係合凹部２３５から押し出されてプラグ２３６内に没入し、後端部がタンブラプレート２５４のサイドバー係合溝２５５に挿入される。
【００２１】
プラグ２３６が回動すると、リセットピン２６７によってプラグ２３６に係合しているジョイントカム２６０も一体となって回動する。
【００２２】
キーコードを変更する必要が生じた場合には、リセットボタン２７２を操作してリセットピン２６７をプラグ２３６内に没入させる。プラグ２３６とジョイントカム２６０との係合が解除され、ジョイントカム２６０を停止したままプラグ２３６のみを回動させることができるようになる。
【００２３】
鍵孔２３７に挿入した初期設定キーＫにより、レトラクター２４４の係合突起２４５がケース２３１の係合凹部２３５に一致する角度までプラグ２３６を回動させると、ばね２４６によりレトラクター２４４の係合突起２４５がケース２３１の係合凹部２３５に係入する。レトラクター２４４の移動により可変タンブラー２４７も同方向に移動可能になる。
【００２４】
初期設定キーＫを引き抜くと、キー係合溝２５０を押された可変タンブラー２４７がタンブラー孔２３９に沿って移動する。タンブラプレート２５４はサイドバー２５２によって移動を拘束されているので、鋸歯状の噛合部２４８がタンブラプレート２５４の被噛合部２５６から外れる。
【００２５】
次に、一次可変キーＫ１を鍵孔２３７に挿入すると、一次可変キーＫ１にキー係合溝２５０を押された可変タンブラー２４７が、一次可変キーＫ１のキーコードに合った位置に移動する。
【００２６】
一次可変キーＫ１を回動操作すると、係合凹部２３５から押し出されたレトラクター２４４が可変タンブラー２４７を押動し、可変タンブラー２４７の鋸歯状の噛合部２４８がタンブラプレート２５４の被噛合部２５６に係合し、可変コード型シリンダ錠のキーコードが一次可変キーＫ１のキーコードに変換される。
【００２７】
そして、サイドバー２５２の先端部２５２ａが係合凹部２３５に一致するまで一次可変キーＫ１を回動操作すると、リセットピン２６７によりジョイントカム２６０とプラグ２３６が係合し、一次可変キーＫ１を引き抜くと、可変コード型シリンダ錠が施錠状態になる。
【００２８】
以上のようにして、更に、可変コード型シリンダ錠を二次可変キーや三次可変キーに合ったキーコードに変換することができ、又初期設定キーにより初期コードに復帰させることができる。
【００２９】
【発明が解決しようとする課題】
ところで上記従来技術にあっては、可変コード型に限られるものではないが、シリンダ錠の全長、即ちプラグ２３６の軸方向の長さが長いことから、例えばその全長よりも十分に薄型となる扉などに上記構造の（可変コード型）シリンダ錠を適応させるのは問題があった。
【００３０】
また、上記可変コード型シリンダ錠においては、リセット機構（リセットボタン２７２等）を操作する際に、例えば取り付けられた筐体の扉を一々開いてリセットボタン２７２を操作しなければならないことから、非常に面倒な操作になってしまっていた。
【００３１】
シリンダ錠の全長に関しての補足をすれば、プラグ２３６の軸方向に並ぶタンブラー孔２３９の間隔を狭めて全長を短くしようとした場合では、キーに形成されたキーコードの溝の傾斜がきつくなってしまい、キーの抜き差しに影響を来して実用性に欠けてしまう。
【００３２】
また、タンブラー孔２３９の数を減らしてしまうことも考えられるが、コードのバリエーションが減少してしまうことから、この場合も実用性に欠けるものとなってしまう。
【００３３】
以上のことから、可変コード型シリンダ錠に関しては、全長が長いことと、コード変更又はコード復帰の際のリセット機構の操作が面倒であることの二つの問題点が挙げられ、シリンダ錠全体に関しては、全長が長いと言う問題点が挙げられる。
【００３４】
本発明は、上述した問題点に鑑みてなされるもので、全長方向をコンパクトにすることが可能で、可変コード型のタイプにおいて、コード変更又はコード復帰の際の操作が容易となるシリンダ錠を提供することを課題とする。
【００３５】
【課題を解決するための手段】
上記課題を解決するためなされた請求項１記載の本発明のシリンダ錠は、断面視略円形状の内周面を有するケースと、該ケースに回動可能に挿入される略円柱形状のプラグと、前記ケースに回動可能に挿入されるとともにカムを固着することが可能なベースプラグと、前記プラグ及び前記ベースプラグ間に介在するジョイントチップと、該ジョイントチップを前記プラグに向けて付勢するバネ部材と、前記ベースプラグの回動を規制する回動規制部材と、を備えた可変コード型のシリンダ錠であって、前記ケースは、前記ケースの軸の方向に沿って形成され、前記回動規制部材が係入、離脱する凹みを有し、前記プラグは、前記ケースの軸の方向に沿って貫通する鍵孔と、該鍵孔に連通するとともに前記バネ部材により付勢される前記ジョイントチップが係合、離脱するプラグ側被係合部とを有し、前記ベースプラグは、前記バネ部材により付勢される前記ジョイントチップが係合するとともに、前記プラグ側被係合部に対向して配置されるベース側被係合部を有し、前記ジョイントチップは、前記プラグ側被係合部及び前記ベース側被係合部に対応し、かつ前記軸の方向に対し直交方向に延在されて形成されるジョイントチップ側係合部と、前記直交方向の端部に形成されて、前記回動規制部材を駆動する駆動部とを有し、且つ、前記鍵孔を介して前記ジョイントチップが前記ベースプラグに向け押動されると、前記プラグ側被係合部及び前記ベース側被係合部に跨って係合していた前記ジョイントチップの前記ジョイントチップ側係合部が前記プラグ側被係合部から離脱するとともに、前記ジョイントチップの前記駆動部が前記回動規制部材を駆動して前記ベースプラグの回動を規制し、前記プラグのみの回動を許容する構成にしたことを特徴としている。
【００３９】
上記課題を解決するためなされた請求項２記載の本発明のシリンダ錠は、断面視略円形状の内周面を有するとともに、該内周面に外方へ窪む係合凹部を一体に形成したケースと、該ケースに回動可能に挿入される略円柱形状のプラグと、該プラグに対して各々前記軸に直交方向に挿入されるタンブラー、タンブラプレート、レトラクター、及びサイドバーと、前記ケースに回動可能に挿入されるとともにカムを固着することが可能なベースプラグと、前記プラグ及び前記ベースプラグ間に介在するジョイントチップと、該ジョイントチップを前記プラグに向けて付勢するバネ部材と、前記ベースプラグの回動を規制する回動規制部材と、を備え、前記タンブラーの位置を変えることでコードの変更が可能な可変コード型のシリンダ錠であって、前記ケースは、前記ケースの軸の方向に沿って形成され、前記回動規制部材が係入、離脱する凹みを有し、前記プラグは、前記タンブラー及び前記タンブラプレートを収容するタンブラー孔と、前記レトラクターを収容するレトラクター収容孔と、前記サイドバーを収容するサイドバー収容孔と、前記軸の方向に沿って貫通する鍵孔と、該鍵孔に連通するプラグ側被係合部とを有し、前記タンブラー孔は、前記鍵孔に交叉して該鍵孔に連通するとともに、前記軸の方向に沿って複数配置形成され、前記レトラクター収容孔は、前記タンブラー孔の相対向する内壁面の一方壁を貫通して形成され、前記サイドバー収容孔は、前記レトラクター収容孔の反対側に位置するとともに前記内壁面の他方壁を貫通して形成され、前記プラグ側被係合部は、前記バネ部材により付勢される前記ジョイントチップが係合、離脱可能に形成され、前記タンブラーは、前記タンブラプレートに対する係合部を有し、前記タンブラプレートは、前記係合部が係合する被係合部と、前記サイドバーの後端部が係入、離脱するサイドバー係合溝とを有し、前記レトラクターは、一方に前記内周面に接触、或いは前記係合凹部に没入する隆起を有し、前記サイドバーは、前記内周面に向けてバネ付勢されるとともに、前記内周面に接触、或いは前記係合凹部に没入する先端部を有し、前記ベースプラグは、前記バネ部材により付勢される前記ジョイントチップが係合するとともに、前記プラグ側被係合部に対向して配置されるベース側被係合部を有し、前記ジョイントチップは、前記プラグ側被係合部及び前記ベース側被係合部に対応し、かつ前記軸の方向に対し直交方向に延在されて形成されるジョイントチップ側係合部と、前記直交方向の端部に形成されて、前記回動規制部材を駆動する駆動部とを有し、前記レトラクターの前記一方が前記内周面に対して接触状態にある場合は、前記レトラクターの前記他方が前記タンブラーに作用して該タンブラーの前記係合部と前記タンブラプレートの前記被係合部とが係合し、前記レトラクターの前記一方が前記係合凹部に没入状態となった場合には、前記レトラクターによる前記作用が解除されて前記係合部が前記被係合部から離脱可能になり、前記サイドバーの前記先端部が前記係合凹部に没入状態にある場合は、前記サイドバーの後端部が前記サイドバー係合溝に一致しない限り前記サイドバーは前記プラグの回動を規制するように作用し、前記サイドバーの前記先端部が前記内周面に対して接触状態となった場合には、前記サイドバーの後端部が前記サイドバー係合溝に係入して前記サイドバーが前記タンブラプレートの移動を規制する構成であり、且つ、前記タンブラー孔に挿入される前記タンブラーを、前記鍵孔に挿入されるキーの二つのコード部により各々独立して駆動される第一タンブラーと第二タンブラーとで構成し、且つ、前記鍵孔を介して前記ジョイントチップが前記ベースプラグに向け押動されると、前記プラグ側被係合部及び前記ベース側被係合部に跨って係合していた前記ジョイントチップの前記ジョイントチップ側係合部が前記プラグ側被係合部から離脱するとともに、前記ジョイントチップの前記駆動部が前記回動規制部材を駆動して前記ベースプラグの回動を規制し、前記プラグのみの回動を許容する構成にしたことを特徴としている。
【００４０】
請求項３記載の本発明のシリンダ錠は、請求項２に記載のシリンダ錠において、前記第一タンブラーと前記第二タンブラーとを、前記軸の方向に重ねた状態に配置するとともに、前記第一タンブラーと前記第二タンブラーの前記係合部間に間隙を形成したことを特徴としている。
【００４２】
請求項４記載の本発明のシリンダ錠は、請求項１ないし請求項３いずれか記載のシリンダ錠において、前記駆動部は、前記回動規制部材が前記直交方向へ駆動される際に摺接する傾斜面を有することを特徴としている。
【００４３】
請求項５記載の本発明のシリンダ錠は、請求項１ないし請求項４いずれか記載のシリンダ錠において、前記回動規制部材を、前記ベースプラグに形成した貫通孔に遊嵌させたことを特徴としている。
【００４７】
請求項１に記載された本発明によれば、鍵孔を介してジョイントチップをベースプラグ側に押動することで、プラグとベースプラグとの係合が解除されるとともに、ベースプラグの回動が阻止され、プラグのみの回動が可能になる。これによりコード変更又はコード復帰が可能となる。ジョイントチップは従来のリセットボタンに相当しており、そのジョイントチップが鍵孔を介して操作されることから、従来のようにシリンダ錠を取り付けた例えば扉を一々開いて操作する必要はない。また、直交方向にジョイントチップ側係合部と駆動部とが並び、ケースの軸方向がコンパクトになる。また、端部に駆動部が位置することから、回動規制部材に対する駆動部のアクセスを容易にする。
【００４８】
請求項２に記載された本発明によれば、可変コード型のシリンダ錠であっても、各々独立して駆動される第一タンブラーと第二タンブラーとがタンブラー孔に挿入されるシリンダ錠になることから、タンブラー孔の数が従来よりも少なくなる。その数が少なくなっても、一つのタンブラー孔に二つのタンブラーが挿入されていることから、従来と同じコードバリエーションが維持される。第一タンブラーと第二タンブラーは、キーの二つのコード部により各々独立して駆動されるから、各タンブラー孔のピッチでキーのコード部を設定することができ、キーの抜き差しが良好となる。また、鍵孔を介してジョイントチップをベースプラグ側に押動することで、プラグとベースプラグとの係合が解除されるとともに、ベースプラグの回動が阻止され、プラグのみの回動が可能になる。これによりコード変更又はコード復帰が可能となる。ジョイントチップは従来のリセットボタンに相当しており、そのジョイントチップが鍵孔を介して操作されることから、従来のようにシリンダ錠を取り付けた例えば扉を一々開いて操作する必要はない。さらに、直交方向にジョイントチップ側係合部と駆動部とが並び、ケースの軸方向がコンパクトになる。また、端部に駆動部が位置することから、回動規制部材に対する駆動部のアクセスを容易にする。
【００４９】
請求項３に記載された本発明によれば、請求項２の発明の作用の作用に加え、全長方向にタンブラー孔が細くなる。また、対応するタンブラプレートとの係合が確実になる。即ち、重ね合わせによって第一タンブラーと第二タンブラーとの間隔が詰まり、その詰めた分だけタンブラー孔を細くすることが可能になる。また、対応するタンブラプレートの位置が仮に何らかの要因でズレたとしても、係合部間の間隙によってそのズレを吸収することが可能なシリンダ錠になる。
【００５１】
請求項４に記載された本発明によれば、鍵孔を介してジョイントチップをベースプラグ側に押動する際に、回動規制部材が傾斜面に案内されてスムーズに移動する。
【００５２】
請求項５に記載された本発明によれば、駆動部に掛かる作用が極力抑えられ、ジョイントチップを押動させる際の妨げとはならない。
【００５３】
【発明の実施の形態】
以下、図面を参照して本発明の一実施の形態を説明する。
図１は本発明のシリンダ錠の一実施の形態を示す正面図である。また、図２はシリンダ錠の側面図、図３はシリンダ錠の背面図、図４は図１のＡ−Ａ線断面図、図５図１のＢ−Ｂ線断面図は、図６は図１のＣ−Ｃ線断面図、図７は図５の要部拡大図を示している。
【００５４】
図１ないし図３のいずれかにおいて、引用符号１は自動販売機の扉やロッカーの扉など、広い分野に用いられる可変コード型のシリンダ錠を示している。
そのシリンダ錠１は、略円筒状のケース２を有しており、ケース２の前部には、キャップ３がはめ込みにより固定されている。また、ケース２の後端からはベースプラグ４の一部が突出しており、そこにカム５が固着されている。
【００５５】
図４ないし図７のいずれかにおいて、ケース２の内部には、ジョイントストッパーピン６、６（特許請求の範囲に記載した回動規制部材に相当）を装着したベースプラグ４と、プラグジョイントスプリング７（特許請求の範囲に記載したバネ部材に相当）により付勢されるジョイントチップ８と、プラグ９とが順に回動可能に挿入、装着されている。
【００５６】
プラグ９は、ケース２の軸方向に沿って延在する鍵孔１０を有しており、軸方向に対して直交方向には、ゴルプレート１１と、複数のタンブラー１２と、複数のタンブラプレート１３と、レトラクター１４と、サイドバースプリング１５により付勢されるサイドバー１６とが挿入、装着されている。
【００５７】
タンブラー１２は、上記軸方向に重なる第一タンブラー１７と第二タンブラー１８とで構成されている。
【００５８】
シリンダ錠１は、上記軸方向に一致する方向の全長が従来のシリンダ錠よりも短く製造されている。また、シリンダ錠１の前面からの操作でコード変更又はコード復帰が容易に行えるように構成されている。
尚、本明細書において、キャップ３を介して鍵孔１０が開口する側を「前」、上記軸方向を基準とした場合での逆側を「後」と定義する。
【００５９】
先ず、上記構成部材の詳細な説明をする。
【００６０】
上記ケース２は、図８ないし図１１のいずれかに示される如く、略円筒形状に製造されており、外周面には環状溝２１と環状突起２２と雄ネジ部２３、２３とが形成されている。また、ケース２の後端には、回動規制突起２４が形成されている。さらに、ケース２は、段付であって断面視略円形状の内周面を有しており、その内周面の大径部分には、略環状凹部２５と係合凹部２６と複数の係合凹部２７とが形成されている。内周面の小径部分には、回動規制凹部２８、２８（特許請求の範囲に記載した凹みに相当）が形成されている。
【００６１】
環状溝２１は、外周面全周方向に凹む溝であって、その環状溝２１には、ケース２の前部に嵌合するキャップ３（図４又は図５参照）を係止するためのクリップ２９（図４又は図５参照）がはめ込まれている。クリップ２９（図４又は図５参照）は、平面視略Ｃ字状に形成されている。
【００６２】
環状突起２２は、環状溝２１よりも内側で外周面全周方向にわたって突出しており、その環状突起２２にキャップ３（図４又は図５参照）の端部が当接するようになっている。環状突起２２は、キャップ３（図４又は図５参照）に対するストッパの役割を果たすようになっている。
【００６３】
雄ネジ部２３、２３は、ケース２の中間部に位置しており、外周面の一部を上記軸方向に切り欠いて形成した相対向する切り欠き面３０、３０を除いた位置に形成されている。
【００６４】
回動規制突起２４は、ケース２の後端であって上記軸方向に突出しており、カム５（図２又は図３参照）の回動を規制するようになっている。本形態においては、カム５（図２又は図３参照）が９０°回動すると、そのカム５（図２又は図３参照）が回動規制突起２４に当接するように配置形成されている。
【００６５】
略環状凹部２５は、ケース２の前端に連続するとともに、内周面の周方向に略Ｃ字状に形成されており、プラグ９（図４又は図５参照）の回動を規制するようになっている。本形態においては、プラグ９（図４又は図５参照）が１４０°回動すると、そのプラグ９（図４又は図５参照）の後述する回動規制突起４８（図１４参照）が略環状凹部２５の端部に当接するように形成されている。
【００６６】
係合凹部２６は、上記軸方向に沿って溝状に形成されており、内周面に連続する二つの傾斜面とその傾斜面に挟まれる底面とで構成されている。係合凹部２６には、レトラクター１４（図６参照）の一部とサイドバー１６（図６参照）の一部が没入するようになっている。
【００６７】
係合凹部２７は、上記軸方向に沿って溝状に形成されており、係合凹部２６を挟んだ両側に複数形成されている。上記軸方向の長さは、係合凹部２６と同じ長さに形成されており、溝幅は係合凹部２６よりも十分に狭く形成されている。係合凹部２７は、本形態において、後述する隆起８１（図２８（ｃ）参照）の形状に対応している。また、本形態において、係合凹部２６から一番離れた係合凹部２７には、タンブラプレート１３（図６参照）の一部が係入、離脱するようになっている。
【００６８】
回動規制凹部２８、２８は、ケース２の後端に連続するとともに、上記軸方向に沿って溝状に形成されており、内周面に連続する二つの緩やかな傾斜面とその緩やかな傾斜面に挟まれる幅狭の底面とで構成されている。回動規制凹部２８、２８は、相対向して配置形成されている。
【００６９】
上記キャップ３は、図１ないし図４のいずれかに示される如く、ケース２の前端に当接し、前部外周面に外嵌する浅底の蓋部材であり、シリンダ錠１の前面に開口する円形の開口部３５を有している。また、キャップ３は、環状溝２１に対向する位置に環状溝３６（図４又は図５参照）を有しており、クリップ２９（図４又は図５参照）が係止されるようになっている。
【００７０】
上記カム５は、図２又は図３に示される如く、板状に製造されており、中央に矩形の取り付け孔３７が穿設されている。また、外周縁には、回動規制突起２４に当接する回動規制部３８、３８が形成されている。
【００７１】
上記プラグ９は、図１２ないし図１８のいずれかに示される如く、ケース２（図４又は図５参照）に回動可能に挿入される略円柱形状に製造されており、挿入後、上記軸に一致する位置には、前端面及び後端面を貫通する鍵孔１０が穿設されている。
【００７２】
プラグ９は、前端部及び後端部が小径に形成されており、前端部側の小径部分には、ゴルプレート１１（図４又は図５参照）を収容するためのゴルプレート収容孔４１が形成されている。
【００７３】
また、後端部側の小径部分には、プラグ側被係合部４２が形成されている。
【００７４】
さらに、中間の大径部分には、複数のタンブラー１２（図４参照）及び複数のタンブラプレート１３（図４参照）を収容するための複数のタンブラー孔４３と、レトラクター１４（図４参照）を収容するためのレトラクター収容孔４４と、サイドバー１６（図４参照）を収容するためのサイドバー収容孔４５とが形成されている。
【００７５】
上記鍵孔１０は、矩形状に貫通形成（上記軸方向全範囲ではない）されている。また、上記前端面での鍵孔１０は、開口部３５（図１参照）を介して外部に露出するようになっている。
【００７６】
ゴルプレート収容孔４１は、上記軸方向に対して直交方向に貫通形成されており、鍵孔１０に連通するようになっている。
【００７７】
プラグ側被係合部４２は、上記後端面より内方へ凹む切り欠き溝状、且つ、ジョイントチップ８（図３４（ａ）参照）の外形に略一致するように形成されている。鍵孔１０に連通している。
【００７８】
タンブラー孔４３は、上記軸方向に対して直交方向に貫通形成されており、鍵孔１０に連通するようになっている。貫通方向はゴルプレート収容孔４１と同じである。タンブラー孔４３は、上記軸方向に沿って複数（本形態においては四つ、この数に限定されるものではない）形成されている。また、矩形状に貫通形成されている。さらに、タンブラー孔４３の相対向する長手方向の内壁面には、各壁二つの凹部４６が形成されている。
【００７９】
レトラクター収容孔４４は、上記軸方向に対して直交方向に穿設されており、鍵孔１０及びタンブラー孔４３に連通するようになっている。穿設する方向はタンブラー孔４３に対して９０°回転した位置となっている。レトラクター収容孔４４は、上記軸方向に延在するように形成されている。レトラクター収容孔４４の長手方向の両端部には、高さの低い突起４７、４７が設けられている。
【００８０】
サイドバー収容孔４５は、上記軸方向に対して直交方向に穿設されており、鍵孔１０及びタンブラー孔４３に連通するようになっている。穿設する方向はレトラクター収容孔４４に対して１８０°回転した位置となっている。サイドバー収容孔４５は、上記軸方向に延在するように形成されている。
【００８１】
サイドバー収容孔４５の近傍には、略環状凹部２５（図１１参照）を移動する回動規制突起４８が形成されている。回動規制突起４８は、プラグ９のみが回動する際に、その回動を規制する。
【００８２】
上記ゴルプレート１１は、図１９に示される如く、長手方向の端部が円弧に形成された枠状の部材であって、中央には鍵孔１０（図１２参照）に対応する孔５１が穿設されている。孔５１の周縁部には、高さの低い案内用の突起５２が設けられている。
【００８３】
上記第一タンブラー１７は、図２０ないし図２２のいずれかに示される如く、板状に製造されており、タンブラー孔４３（図１３参照）の延在方向に延びる基部５５と、その基部５５の両端部にそれぞれ連成されるとともに、タンブラー孔４３（図１３参照）の幅方向に延びるアーム部５６、５６とで構成されている。
【００８４】
基部５５には、凹部４６（図１３参照）及びレトラクター１４（図４参照）にに案内される突条５７と、突条５７の逆側に配設される溝５８と、後述する第一コード部１２３に駆動される被駆動部５９とが形成されている。
【００８５】
突条５７は、基部５５の中央に形成されており、上記長手方向に沿って延在している。突条５７の長さは、タンブラー孔４３（図１３参照）内での移動量に応じて適宜設定されるものとする。
【００８６】
溝５８は、突条５７と同様、基部５５の中央に形成されており、上記長手方向に沿って延在している。溝５８は、突条５７を打ち出した際に形成されるものである。
【００８７】
被駆動部５９は、基部５５の長手方向の中央に位置する突起であり、その外周には、傾斜面６０が形成されている。被駆動部５９は、アーム部５６、５６と同じ方向に形成されている。また、アーム部５６、５６よりも十分に短く形成されている。
【００８８】
アーム部５６、５６には、その先端にそれぞれ鋸歯状の噛合部６１、６１（特許請求の範囲に記載した係合部に相当）が形成されている。噛合部６１、６１の山の数は、本形態において三つに設定されている（この数に限定されるものではない）。また、噛合部６１、６１には、段部６２、６２がそれぞれ形成されている。
【００８９】
段部６２、６２は、噛合部６１、６１をアーム部５６、５６の一方の表面から一段下げるように形成したもので、第二タンブラー１８（図２３又は図２４参照）と重ね合わせした際に間隙を生じさせるものである。
【００９０】
上記第二タンブラー１８は、図２２ないし図２４のいずれかに示される如く、板状に製造されており、タンブラー孔４３（図１３参照）の延在方向に延びる基部６５と、その基部６５の両端部にそれぞれ連成されるとともに、タンブラー孔４３（図１３参照）の幅方向に延びるアーム部６６、６６とで構成されている。
【００９１】
基部６５には、凹部４６（図１３参照）及びレトラクター１４（図４参照）に案内される突条６７と、突条６７の逆側に配設される溝６８と、後述する第二コード部１２４、１２４に駆動される被駆動部６９、６９とが形成されている。
【００９２】
突条６７は、基部６５の中央に形成されており、上記長手方向に沿って延在している。突条６７の長さは、タンブラー孔４３（図１３参照）内での移動量に応じて適宜設定されるものとする。
【００９３】
溝６８は、突条６７と同様、基部６５の中央に形成されており、上記長手方向に沿って延在している。溝６８は、突条６７を打ち出した際に形成されるものである。
【００９４】
被駆動部６９、６９は、アーム部６６、６６の各基端部に位置する突起であり、その外周には、傾斜面７０、７０が形成されている。被駆動部６９、６９は、アーム部６６、６６と同じ方向に形成されている。また、アーム部６６、６６よりも十分に短く形成されている。
【００９５】
アーム部６６、６６には、その先端にそれぞれ鋸歯状の噛合部７１、７１（特許請求の範囲に記載した係合部に相当）が形成されている。噛合部７１、７１の山の数は、本形態において三つに設定されている（この数に限定されるものではない）。また、噛合部７１、７１には、段部７２、７２がそれぞれ形成されている。
【００９６】
段部７２、７２は、噛合部７１、７１をアーム部６６、６６の一方の表面から一段下げるように形成したもので、第一タンブラー１７（図２０又は図２１参照）と重ね合わせした際に間隙を生じさせるものである。
【００９７】
第二タンブラー１８の外観形状は、第一タンブラー１７（図２０又は図２１参照）とほぼ一緒である。即ち、被駆動部６９、６９と被駆動部５９（図２０参照）の位置のみが異なっている。
【００９８】
上記タンブラプレート１３は、図２５ないし図２７のいずれかに示される如く、タンブラー孔４３（図１３参照）の延在方向に延びる略棒板状に製造されている。また、タンブラプレート１３には、噛合部６１、６１（図２０参照）及び噛合部７１、７１（図２３参照）に対する被噛合部７５、７５（特許請求の範囲に記載した被係合部に相当）と、凹部４６（図１３参照）に案内される突条７６と、突条７６の逆側に配設される溝７７と、サイドバー１６（図４参照）に対するサイドバー係合溝７８と、同じくダミーサイドバー係合溝７９とが形成されている。
【００９９】
被噛合部７５、７５は、噛合部６１、６１（図２０参照）及び噛合部７１、７１（図２３参照）と同様に鋸歯状であって、長手方向に沿う一方の側壁（噛合部６１、６１（図２０参照）等に対向する側の側壁を指す）の両端部にそれぞれ一体形成されている。被噛合部７５、７５は、噛合部６１、６１（図２０参照）及び噛合部７１、７１（図２３参照）の山に噛み合うようになっている。噛合部７５、７５の山の数は、本形態において三つに設定されている（この数に限定されるものではない）。
【０１００】
突条７６は、中央よりも若干上記一方の側壁側に形成されており、上記長手方向に沿って延在している。突条７６の長さは、タンブラー孔４３（図１３参照）内での移動量に応じて適宜設定されるものとする。
【０１０１】
溝７７は、突条７６と同様、中央よりも若干上記一方の側壁側に形成されており、上記長手方向に沿って延在している。溝７７の長さは、突条７６とほぼ同じ長さとなっている。
【０１０２】
サイドバー係合溝７８は、上記一方の側壁に対する他方の側壁中央に位置する凹みであり、サイドバー１６（図４参照）の後述する後端部８６が係入、離脱可能となるように形成されている。サイドバー係合溝７８の溝深さは、本形態において、少なくとも係合凹部２６（図８参照）の溝深さ分だけ確保されている。
【０１０３】
ダミーサイドバー係合溝７９は、サイドバー係合溝７８を挟んだ両側に複数形成されている。ダミーサイドバー係合溝７９の溝深さは、サイドバー係合溝７８よりも十分に浅く形成されている。ダミーサイドバー係合溝７９又は各ダミーサイドバー係合溝７９間の凸部分に、サイドバー１６（図４参照）の後述する後端部８６（図２９参照）の凹み８８が係合するようになっている。ダミーサイドバー係合溝７９は、ピッキング行為に対して効果を奏するものである。
【０１０４】
上記レトラクター１４は、図２８の（ａ）ないし（ｃ）のいずれかに示される如く、上記軸方向に延在する略方体状に形成されている。レトラクター１４の、ケース２（図１１参照）の内周面に対向する面側を一方とすると、その一方には隆起８１、８１が突出形成されている。また、上記一方の逆側となるレトラクター１４の他方側には、複数（本形態においては四つ、この数に限定されるものではない、但しタンブラー孔４３（図１３参照）の数に一致している）の凹部８２が形成されている。上記一方側の上記面は、ケース２（図１１参照）の内周面の曲率に沿った曲面に形成されている。上記軸方向の両側壁には、内方へ凹むガイド８３、８３が形成されている。
【０１０５】
隆起８１、８１は、高さの低い突条であって、その先端がケース２（図１１参照）の内周面を摺接するようになっている。また、係合凹部２６（図８参照）及び複数の係合凹部２７（図８参照）に対して没入可能な間隔で配設されている。
【０１０６】
凹部８２は、上記一方及び他方間の方向に直交する方向、即ち幅方向に存在する両側壁間にわたって切り欠かれる溝状に形成されている。凹部８２は、上記軸方向に等ピッチで複数形成されており、凹部４６（図１３参照）と同じ大きさ位置の凹部８４が相対向して形成されている。
【０１０７】
相対向する凹部８４、８４には、突条５７（図２１参照）、突条６７（図２４参照）が係入するようになっている。
【０１０８】
ガイド８３、８３は、隆起８１、８１の間に位置し、突起４７、４７（図１５参照）が係入するようになっている。
【０１０９】
上記サイドバー１６は、図２９の（ａ）ないし（ｃ）のいずれかに示される如く、側面視略Ｔ字状に形成され、上記軸方向に延在している。レトラクター１４の、ケース２（図１１参照）の内周面に対向し、上記Ｔ字の横バー側を先端部８５とすると、その先端部８５は、係合凹部２６（図８参照）に対して没入可能に形成されており、係合凹部２６（図８参照）の二つの傾斜面に対応する傾斜面を一体に有している。
【０１１０】
上記Ｔ字の縦バー側となる後端部８６は、サイドバー係合溝７８（図２５参照）に対して係入、離脱可能な厚さ、長さを有している。後端部８６の端部には、凹み８８が形成されている。その凹み８８は、上記軸方向に延在する溝状に形成されている。
【０１１１】
後端部８６の中間には、サイドバースプリング１５（図４参照）に対する切り欠き８７が形成されている。
【０１１２】
上記サイドバースプリング１５は、図４に示される如く、湾曲した状態に製造されている（組み付け後に湾曲させるようにしてもよい）。その湾曲は、サイドバースプリング１５の側方方向から見た状態であって、平面視はＨ字状に形成されている。サイドバースプリング１５は、サイドバー１６をケース２の内周面方向に付勢するように作用する。
【０１１３】
尚、サイドバースプリング１５に代えてコイルスプリングで対応してもよい（従来例参照）。
【０１１４】
上記ベースプラグ４は、図３０ないし図３３のいずれかに示される如く、略円筒形状の基部９１と、ケース２（図４又は図５参照）より露出する略棒状のタング部９２とを備えて構成されている。
【０１１５】
基部９１は、一端にタング部９２が一体に形成されており、その一端の逆側となる他端には、プラグ９（図４又は図５参照）に対する摺接面９３が形成されている。摺接面９３は、基部９１の外周面に形成された環状のフランジ部９４の一方の面とともに構成されている。フランジ部９４は、ストッパの役割を果たし、フランジ部９４の他方の面がケース２（図４又は図５参照）に当接して抜けを防止するようになっている。
【０１１６】
基部９１の内部には、プラグ９（図４又は図５参照）に対する回動部９５と、ジョイントチップ８（図４又は図５参照）に対するベース側被係合部９６と、ジョイントストッパーピン６、６（図４又は図５参照）に対するピン孔９７、９７と、プラグジョイントスプリング７（図４又は図５参照）に対する受け部９８とが形成されている。
【０１１７】
回動部９５は、プラグ９（図１３参照）の後端部側の小径部分が係入する円筒状に形成されている。
【０１１８】
ベース側被係合部９６は、プラグ側被係合部４２（図１４参照）に対向して配置されており、回動部９５よりタング部９２側へ凹む切り欠き溝状、且つ、ジョイントチップ８（図３４（ａ）参照）の外形に略一致するように形成されている。
【０１１９】
ピン孔９７、９７は、上記軸方向に対し直交方向となるベース側被係合部９６の長手方向の端部と、基部９１の外周面とを貫通する段付きの孔であり、そこには、上記段に合わせて形成された段付き略円柱形状のジョイントストッパーピン６、６（図４又は図５参照、両端は球面状に処理されている）が遊嵌状態で挿入されている（図４又は図５参照、ジョイントストッパーピン６は、自重でピン孔９７内を移動することができる）。
【０１２０】
受け部９８は、ベース側被係合部９６よりタング部９２側へ凹む凹部であり、プラグジョイントスプリング７（図４又は図５参照）の一端が当接するようになっている。
【０１２１】
タング部９２は、上記軸方向に延在しており、切り欠き面９９、９９を除いて雄ネジ部１００、１００が周設されている。また、カム５（図２又は図３参照）を固着することができるように形成されている。
【０１２２】
上記プラグジョイントスプリング７は、図４又は図５に示される如く、コイル状の圧縮スプリングであり、ジョイントチップ８を押動する際の操作が妨げられない程度にバネ常数が設定されている。プラグジョイントスプリング７の一端は、ベースプラグ４（図３２又は図３３参照）の受け部９８（図３２又は図３３参照）に当接する。また、他端は、ジョイントチップ８（図４又は図５参照）に当接する。
【０１２３】
尚、プラグジョイントスプリング７を板バネで対応させることも当然に可能である。
【０１２４】
上記ジョイントチップ８は、図３４の（ａ）ないし（ｆ）のいずれかに示される如く、略円筒状の基部１０５と、フィン状のジョイントチップ側係合部１０６、１０６と、ジョイントストッパーピン６、６（図４又は図５参照）を駆動する駆動部１０７、１０７とを備えて構成されている。
【０１２５】
基部１０５は、ベースプラグ４（図４又は図５参照）側にプラグジョイントスプリング７（図４又は図５参照）の上記他端が当接する受け部１０８を有している。また、受け部１０８の逆側には、円形に凹む被押動部１０９が形成されている。
【０１２６】
ジョイントチップ側係合部１０６、１０６は、相対向するとともに、基部１０５の外周面から上記軸方向に対して直交方向に延在（ジョイントチップ８の上記軸方向の長さが短くなる）しており、プラグ側被係合部４２（図１４参照）及びベース側被係合部９６（図３０参照）に係入、離脱可能（ベース側被係合部９６からは離脱しない）に形成されている。
【０１２７】
また、ジョイントチップ側係合部１０６、１０６は、そのジョイントチップ側係合部１０６、１０６がプラグ側被係合部４２（図１４参照）に係入すると、ベース側被係合部９６（図３０参照）にも係合する長さで形成されている。
【０１２８】
駆動部１０７、１０７は、ジョイントチップ側係合部１０６、１０６の上記直交方向の端部に配設（ジョイントチップ８の上記軸方向の長さが短くなる）されている。駆動部１０７、１０７は、その端部に対して若干凹んで形成されている。また、ジョイントストッパーピン６、６（図４又は図５参照）が摺接する傾斜面１１０、１１０を有している。
【０１２９】
次に、上記構成を有するシリンダ錠１の鍵孔１０に挿入されるキーについて説明する。
【０１３０】
図３５は正規キーを示す図面であり、（ａ）は平面図、（ｂ）は底面図、（ｃ）は（ｂ）のＯ−Ｏ線断面図、図３６は図３５の正規キーにコードチェンジバーを取り付けた図面であり、（ａ）は平面図、（ｂ）は底面図、（ｃ）は（ｂ）のＰ−Ｐ線断面図、図３７は図３６のコードチェンジバーを示す図面であり、（ａ）は正面図、（ｂ）は側面図、（ｃ）は背面図、（ｄ）は底面図、（ｅ）は（ｂ）の横断面図、図３８は新コードキーの平面図を示している。
【０１３１】
図３５において、引用符号１２０は正規キーを示している（特許請求の範囲に記載したキーに相当）。
図３５の（ａ）ないし（ｃ）のいずれかにおいて、その正規キー１２０は、摘み操作部１２１と鍵本体部１２２とから構成されており、その鍵本体部１２２の表面には、内溝及び外溝から成る第一コード部１２３及び第二コード部１２４、１２４とが形成されている（特許請求の範囲に記載した二つのコード部に相当）。
【０１３２】
第一コード部１２３は、第一タンブラー１７（図７参照）の被駆動部５９（図２０参照）を駆動する溝であり、その傾斜（うねり）によって、サイドバー１６（図４参照）の後端部８６（図２９（ｃ）参照）の位置にタンブラプレート１３（図２５参照）のサイドバー係合溝７８（図２５参照）が一致するようになっている。被駆動部５９（図２０参照）は、タンブラー孔４３（図１３参照）のピッチで第一コード部１２３に駆動されることになるから、傾斜がきつくなることはない。
【０１３３】
第二コード部１２４、１２４は、第二タンブラー１８（図２３参照）の被駆動部６９、６９（図２３参照）を駆動する溝であり、その傾斜（うねり）によって、サイドバー１６（図４参照）の後端部８６（図２９（ｃ）参照）の位置にタンブラプレート１３（図２５参照）のサイドバー係合溝７８（図２５参照）が一致するようになっている。被駆動部６９、６９（図２３参照）は、タンブラー孔４３（図１３参照）のピッチで第二コード部１２４、１２４に駆動されることになるから、傾斜がきつくなることはない。
【０１３４】
鍵本体部１２２の裏面には、ゴルプレート１１（図１９参照）の突起５２（図１９参照）が係入する溝１２５と、中心軸上に延在する取り付け溝１２６とが形成されている。
【０１３５】
図３６において、正規キー１２０には、コードチェンジバー１３０が取り付けられている。
そのコードチェンジバー１３０は、図３７の（ａ）ないし（ｅ）のいずれかに示される如く、本体部１３１と挿入部１３２と支持部１３３と押動部１３４とを備えて構成されており、略棒状に形成されている。
【０１３６】
本体部１３１は、摘み操作部１２１（図３６参照）の裏面に対向するとともにコードチェンジバー１３０の長手方向に長い長方形の板状に形成されている。挿入部１３２は、本体部１３１に連成されるとともに、取り付け溝１２６（図３５（ｂ）参照）に挿入される断面視矩形の棒状に形成されている。
【０１３７】
支持部１３３は、本体部１３１に対し挿入部１３２の逆側となる位置に形成されている。また、支持部１３３は、摘み操作部１２１（図３６参照）に形成された孔１３５（図３６参照）に挿入される突起状に形成されている。
【０１３８】
押動部１３４は、挿入部１３２の端部に形成されており、押動部本体１３６と係止片１３７とを備えている。
【０１３９】
押動部本体１３６は、ジョイントチップ８（図３４参照）の被押動部１０９（図３４（ｃ）参照）に係入可能なブロック状に形成されている。係止片１３７は、押動部本体１３６に連成される舌片状に形成されており、挿入部１３２に対向配置されている。挿入部１３２とにより形成された間隙には、鍵本体部１２２（図３５参照）の先端を挿入することができるようになっている。
【０１４０】
尚、コードチェンジバー１３０を一体にしたキーを製造し、そのキーで対応することも可能である。
【０１４１】
図３８において、引用符号１４０は新コードキーを示している（特許請求の範囲に記載したキーに相当）。その新コードキー１４０は、摘み操作部１４１と鍵本体部１４２とから構成されており、その鍵本体部１４２の表面には、内溝及び外溝から成る第一コード部１４３及び第二コード部１４４、１４４とが形成されている（特許請求の範囲に記載した二つのコード部に相当）。
【０１４２】
第一コード部１４３及び第二コード部１４４、１４４は、第一コード部１２３（図３５参照）及び第二コード部１２４、１２４（図３５参照）に対して上記傾斜が異なっている。鍵本体部１４２の裏面には、溝１２５（図３５参照）と同様の溝（不図示）が形成されている。
【０１４３】
続いて、図３９ないし図５７までを参照しながらシリンダ錠１の作用について説明する（以下の説明の中で図示できない構成部材があった場合には、括弧付きの符号を図中に付すことにする）。
初期コードに設定されているシリンダ錠１の施錠状態、正規キー１２０による解錠操作、コードチェンジバー１３０を用いてのコード変換操作、新コードキー１４０によるコード変更が完了した状態の順に説明する。
【０１４４】
図３９は施錠状態のシリンダ錠の水平断面図、図４０は施錠状態のシリンダ錠におけるタンブラー孔部分での断面図（図３９の横断面図）、図４１は施錠状態のシリンダ錠におけるジョイントチップ近傍部分での断面図（図３９の横断面図）を示している。
【０１４５】
図３９において、シリンダ錠１には、正規キー１２０（図３５参照）が挿入されていない。施錠状態となっている。この状態の時、第一タンブラー１７と第二タンブラー１８は、平面視において外形が一致するように重なっている。第一タンブラー１７の被駆動部５９は、図３９中で中心軸上に位置する。プラグ９とベースプラグ４は、プラグジョイントスプリング７に付勢されたジョイントチップ８によって、接合状態となる。ジョイントストッパーピン６、６が非駆動状態であるから、ベースプラグ４はケース２に対して回動を許容される。
【０１４６】
図４０において、レトラクター１４の隆起８１、８１がケース２の内周面に対して接触状態にあるから、そのレトラクター１４は、タンブラー孔４３内に若干他方側が没入する。レトラクター１４が作用することにより、第一タンブラー１７と第二タンブラー１８とが噛合部６１、６１及び７１、７１を介して二つのタンブラプレート１３の各被噛合部７５、７５に係合する。二つのタンブラプレート１３は、第一タンブラー１７と第二タンブラー１８とによりタンブラー孔４３内での位置が規制される。この状態において、サイドバー１６の後端部８６はサイドバー係合溝７９に一致せず、サイドバー１６が係合凹部２６に没入状態に維持される。従って、プラグ９等は回動不能である。
【０１４７】
図４１において、ジョイントストッパーピン６、６が非駆動状態であるから、ベースプラグ４はケース２に対して回動を許容される。図４１中で下に図示したジョイントストッパーピン６が、自重で下側の回動規制凹部２８に係入するが、遊嵌されていることから、回動に影響はない。
【０１４８】
正規キー１２０による解錠操作を説明する。
図４２は正規キー挿入時のシリンダ錠の水平断面図、図４３は正規キー挿入時のシリンダ錠におけるタンブラー孔部分での断面図（施錠状態、図４２の横断面図）、図４４は正規キー挿入時のシリンダ錠におけるタンブラー孔部分での断面図（解錠途中状態、図４２の横断面図）、図４５は正規キー挿入時のシリンダ錠におけるタンブラー孔部分での断面図（９０°回転、解錠状態、図４２の横断面図）、図４６は正規キー挿入時のシリンダ錠におけるジョイントチップ近傍部分での断面図（解錠途中状態、図４２の横断面図）、図４７は正規キー挿入時のシリンダ錠におけるジョイントチップ近傍部分での断面図（９０°回転、解錠状態、図４２の横断面図）を示している。
【０１４９】
図４２において、鍵孔１０内に正規キー１２０を挿入すると、その正規キー１２０の第一コード部１２３により各第一タンブラー１７の被駆動部５９が駆動され、第一タンブラー１７がタンブラー孔４３内を移動する。また、正規キー１２０の第二コード部１２４、１２４により各第二タンブラー１８の被駆動部６９、６９が駆動され、第二タンブラー１８がタンブラー孔４３内を移動する。被駆動部５９及び被駆動部６９、６９の位置は、第一コード部１２３及び第二コード部１２４、１２４の上記傾斜によって図３９の状態から変化する。プラグ９とベースプラグ４は、ジョイントチップ８によって、接合状態のままである。ジョイントストッパーピン６、６は非駆動状態にあり、プラグ９及びベースプラグ４は回動可能である。
【０１５０】
図４３において、レトラクター１４の隆起８１、８１がケース２の内周面に対して接触状態にある。二つのタンブラプレート１３は、第一タンブラー１７と第二タンブラー１８とにより駆動され、サイドバー係合溝７９の位置がサイドバー１６の後端部８６の位置に一致する。この状態ではまだサイドバー１６の後端部８６がサイドバー係合溝７９に係入しない。
【０１５１】
図４４において、正規キー１２０を回転させ、解錠操作を開始すると、サイドバー１６が係合凹部２６の傾斜面に当接してその作用により内方側へ押し込まれる。サイドバー１６の後端部８６がサイドバー係合溝７９に係入し、プラグ９はベースプラグ４（図４２参照）等を伴って正規キー１２０の回転方向に回動する。レトラクター１４の隆起８１、８１は、ケース２の内周面を摺動する。
【０１５２】
図４６において、ジョイントストッパーピン６、６は、ベースプラグ４が回動することによりケース２の回動規制凹部２８、２８の緩やかな傾斜面に押されてピン孔９７、９７内に没入する。
【０１５３】
図４５において、正規キー１２０が初期状態から９０°回転した状態（回動規制部３８（図３参照）と回動規制突起２４（図３参照）とが当接する）になると、解錠が完了する。ジョイントストッパーピン６、６は、図４７に示される位置に移動する。即ち、９０°回転した位置に移動する。
【０１５４】
コードチェンジバー１３０を用いてのコード変換操作を説明する。
図４８はコード変更操作時のシリンダ錠の水平断面図、図４９はコード変更操作時のシリンダ錠におけるタンブラー孔部分での断面図（回動前の状態、図４８の横断面図）、図５０はコード変更操作時のシリンダ錠におけるタンブラー孔部分での断面図（回動途中状態、図４８の横断面図）、図５１はコード変更操作時のシリンダ錠におけるタンブラー孔部分での断面図（１４０°回転、回動終了状態、図４８の横断面図）、図５２はコード変更操作時のシリンダ錠におけるジョイントチップ近傍部分での断面図（回動規制状態、図４８の横断面図）、図５３はコード変更操作時のシリンダ錠におけるタンブラー孔部分での断面図（１４０°回転、キー引き抜き状態、図４８の横断面図）を示している。
【０１５５】
図４８において、図３９の状態から鍵孔１０内にコードチェンジバー１３０を取り付けた正規キー１２０を挿入すると、その正規キー１２０の第一コード部１２３により各第一タンブラー１７の被駆動部５９が駆動され、第一タンブラー１７がタンブラー孔４３内を移動する。また、正規キー１２０の第二コード部１２４、１２４により各第二タンブラー１８の被駆動部６９、６９が駆動され、第二タンブラー１８がタンブラー孔４３内を移動する。被駆動部５９及び被駆動部６９、６９の位置は、第一コード部１２３及び第二コード部１２４、１２４の上記傾斜によって図３９の状態から変化する。ジョイントチップ８は、コードチェンジバー１３０によりベースプラグ４側へ押し込まれ、ジョイントチップ側係合部１０６、１０６がプラグ９から離脱する。
【０１５６】
図４９において、レトラクター１４の隆起８１、８１がケース２の内周面に対して接触状態にある。二つのタンブラプレート１３は、第一タンブラー１７と第二タンブラー１８とにより駆動され、サイドバー係合溝７９の位置がサイドバー１６の後端部８６の位置に一致する。この状態ではまだサイドバー１６の後端部８６がサイドバー係合溝７９に係入しない。
【０１５７】
図５２において、ジョイントストッパーピン６、６がジョイントチップ８の駆動部１０７、１０７により駆動され回動規制凹部２８に係入する。ベースプラグ４は、ケース２に対して回動不能になる。
【０１５８】
図５０において、コードチェンジバー１３０（図４８参照）を取り付けた正規キー１２０を回転させ、コード変換操作を開始すると、サイドバー１６が係合凹部２６の傾斜面に当接してその作用により内方側へ押し込まれる。サイドバー１６の後端部８６がサイドバー係合溝７９に係入し、プラグ９のみがコードチェンジバー１３０（図４８参照）を取り付けた正規キー１２０の回転方向に回動する。レトラクター１４の隆起８１、８１は、ケース２の内周面を摺動する。
【０１５９】
図５１において、プラグ９のみが初期状態から１４０°回転（略環状凹部２５と回動規制突起４８によって規制される）すると、レトラクター１４の隆起８１、８１が係合凹部２７、２７に対向する。サイドバー１６の先端部８５は、ケース２の内周面に接触状態にある。
【０１６０】
この状態において、コードチェンジバー１３０（図４８参照）を取り付けた正規キー１２０を鍵孔１０から引き抜くと、第一タンブラー１７と第二タンブラー１８とがともに駆動され、レトラクター１４が第一タンブラー１７及び第二タンブラー１８を伴って上記内周面側に押し出される。そして、図５３に示される如く、レトラクター１４の隆起８１、８１が係合凹部２７、２７に係入すると、それまで第一タンブラー１７及び第二タンブラー１８に作用していた押しつけ力が解除される。
【０１６１】
新コードキー１４０によるコード変更について説明する。
図５４は新コードキー挿入時のシリンダ錠におけるタンブラー孔部分での断面図（１４０°回転、新コードキー挿入状態）、図５５は新コードキー挿入時のシリンダ錠におけるタンブラー孔部分での断面図（回動途中状態）、図５６は新コードキー挿入時のシリンダ錠におけるタンブラー孔部分での断面図（回動終了状態）、図５７は新コードキー挿入時のシリンダ錠の水平断面図（回動終了状態）を示している。
【０１６２】
図５４において、図５３の状態から鍵孔１０内に新コードキー１４０を挿入すると、その新コードキー１４０の第一コード部１４３（図５７参照）により各第一タンブラー１７の被駆動部５９（図５７参照）が駆動され、第一タンブラー１７がタンブラー孔４３内を移動する。また、新コードキー１４０の第二コード部１４４、１４４（図５７参照）により各第二タンブラー１８の被駆動部６９、６９（図５７参照）が駆動され、第二タンブラー１８がタンブラー孔４３内を移動する。被駆動部５９（図５７参照）及び被駆動部６９、６９（図５７参照）の位置は、第一コード部１４３（図５７参照）及び第二コード部１４４、１４４（図５７参照）によって変化する。
【０１６３】
新コードキー１４０により、被噛合部７５、７５に対向する噛合部６１、６１及び噛合部７１、７１の位置が初期状態に対して異なる位置になる。この状態において、被噛合部７５、７５に噛合部６１、６１及び噛合部７１、７１は係合しない。
【０１６４】
図５５において、新コードキー１４０を上記回転方向に対して逆側に回転させると、レトラクター１４の隆起８１、８１が係合凹部２７、２７から離脱する。この時、被噛合部７５、７５に噛合部６１、６１及び噛合部７１、７１が係合し、コード変更がなされる。サイドバー１６の先端部８５は、ケース２の内周面を摺動する。
【０１６５】
図５６において、新コードキー１４０を１４０°逆側に回転させ、初期状態の位置に戻すと、サイドバー１６の先端部８５が係合凹部２６の位置に一致する。サイドバー１６は、サイドバースプリング１５の付勢力によりその後端部８６がサイドバー係合溝７８から離脱する。新コードキー１４０が引き抜き可能になる（図５７参照）。
【０１６６】
以上、図１ないし図５７までを参照しながら説明してきたように、シリンダ錠１は、全長方向（上記軸方向の長さ）が従来よりも格段に短くなっている。これにより、コンパクトなシリンダ錠を提供することができる。
【０１６７】
また、シリンダ錠１は、鍵孔１０を介して、即ちシリンダ錠１の前面側からコード変更又はコード復帰の操作をすることができる。これにより、コード変更又はコード復帰の操作が従来よりも格段に容易となる。
【０１６８】
その他、本発明は本発明の主旨を変えない範囲で種々変更実施可能なことは勿論である。
即ち、上記説明では、タンブラー１２が第一タンブラー１７と第二タンブラー１８とで構成され、その第一タンブラー１７と第二タンブラー１８とがタンブラー孔４３内に挿入されるシリンダ錠１であったが、三つのタンブラーをタンブラー孔内に挿入する構成でも成立することから、上述の構造のみに限定されるものではない。
【０１６９】
シリンダ錠１の全長方向を短くするための構成は、可変コード型のシリンダ錠に限られるものではなく、コードを固定したシリンダ錠にも適用することができるのは当然である。
【０１７０】
また、シリンダ錠の前面側からコード変更又はコード復帰の操作をする構成は、従来例で説明した構成のシリンダ錠にも当然に適用することができるものとする（タンブラーの形態に左右されない。ピン状のタンブラーの構成を有するシリンダ錠でもよい）。
【０１７１】
尚、図５３でのプラグ９の回動を規制しようとする場合には、上述とは別のタンブラを前部に設けて規制することができるものとする。また、上述のような１４０゜の回転ではなく、１８０゜回転で対応させようとする場合には、ジョイントチップ８を利用することができる。
【０１７２】
【発明の効果】
以上説明したように、請求項１に記載された本発明によれば、鍵孔を介してジョイントチップをベースプラグ側に押動することで、プラグとベースプラグとの係合が解除されるとともに、ベースプラグの回動が阻止され、プラグのみの回動が可能になる。これによりコード変更又はコード復帰が可能となる。ジョイントチップは従来のリセットボタンに相当しており、そのジョイントチップが鍵孔を介して操作されることから、従来のようにシリンダ錠を取り付けた例えば扉を一々開いて操作する必要はない。また、ジョイントチップ側係合部を、ケースの軸の方向に対し直交方向に延在させ、その直交方向の端部に回動規制部材に対する駆動部を形成していることから、直交方向にジョイントチップ側係合部と駆動部とが並び、ケースの軸方向がコンパクトになる。また、端部に駆動部が位置することから、回動規制部材に対する駆動部のアクセスを容易にする。
従って、コード変更又はコード復帰の操作が容易となることの他に、シリンダ錠の全長方向をコンパクトにすることができるシリンダ錠を提供することができるという効果を奏する。
【０１７６】
請求項２に記載された本発明によれば、可変コード型のシリンダ錠であっても、各々独立して駆動される第一タンブラーと第二タンブラーとがタンブラー孔に挿入されるシリンダ錠になることから、タンブラー孔の数が従来よりも少なくなる。その数が少なくなっても、一つのタンブラー孔に二つのタンブラーが挿入されていることから、従来と同じコードバリエーションが維持される。第一タンブラーと第二タンブラーは、キーの二つのコード部により各々独立して駆動されるから、各タンブラー孔のピッチでキーのコード部を設定することができ、キーの抜き差しが良好となる。また、鍵孔を介してジョイントチップをベースプラグ側に押動することで、プラグとベースプラグとの係合が解除されるとともに、ベースプラグの回動が阻止され、プラグのみの回動が可能になる。これによりコード変更又はコード復帰が可能となる。ジョイントチップは従来のリセットボタンに相当しており、そのジョイントチップが鍵孔を介して操作されることから、従来のようにシリンダ錠を取り付けた例えば扉を一々開いて操作する必要はない。さらに、ジョイントチップ側係合部を、ケースの軸の方向に対し直交方向に延在させ、その直交方向の端部に回動規制部材に対する駆動部を形成していることから、直交方向にジョイントチップ側係合部と駆動部とが並び、ケースの軸方向がコンパクトになる。また、端部に駆動部が位置することから、回動規制部材に対する駆動部のアクセスを容易にする。
従って、全長方向がコンパクトになるとともに、コード変更又はコード復帰の操作が容易となるシリンダ錠を提供することができるという効果を奏する。
【０１７７】
請求項３に記載された本発明によれば、請求項２の発明の作用に加え、第一タンブラーと第二タンブラーとを、ケースの軸の方向に重ねた状態に配置するとともに、第一タンブラーと第二タンブラーの係合部間に間隙を形成していることから、全長方向にタンブラー孔が細くなる。また、対応するタンブラプレートとの係合が確実になる。即ち、重ね合わせによって第一タンブラーと第二タンブラーとの間隔が詰まり、その詰めた分だけタンブラー孔を細くすることが可能になる。また、対応するタンブラプレートの位置が仮に何らかの要因でズレたとしても、係合部間の間隙によってそのズレを吸収することが可能になる。
従って、シリンダ錠の全長方向を更に短くすることができるとともに、コード変更又はコード復帰の操作が容易となるという効果を奏する。
尚、シリンダ錠の作動に係る信頼性は良好である。
【０１７９】
請求項４に記載された本発明によれば駆動部は、回動規制部材が直交方向へ駆動される際に摺接する傾斜面を有することから、鍵孔を介してジョイントチップをベースプラグ側に押動する際に、回動規制部材が傾斜面に案内されてスムーズに移動する。
従って、操作性を向上させることができる、という効果を奏する。
【０１８０】
請求項５に記載された本発明によれば、回動規制部材を、ベースプラグに形成した貫通孔に遊嵌させていることから、駆動部に掛かる作用が極力抑えられ、ジョイントチップを押動させる際の妨げとはならない。
従って、操作性を向上させることができるという効果を奏する。
【図面の簡単な説明】
【図１】本発明によるシリンダ錠の一実施の形態を示す正面図である。
【図２】シリンダ錠の側面図である。
【図３】シリンダ錠の背面図である。
【図４】図１のＡ−Ａ線断面図である。
【図５】図２のＢ−Ｂ線断面図である。
【図６】図２のＣ−Ｃ線断面図である。
【図７】図５の要部拡大図である。
【図８】ケースの正面図である。
【図９】ケースの側面図である。
【図１０】ケースの背面図である。
【図１１】図８のＤ−Ｄ線断面図である。
【図１２】プラグの正面図である。
【図１３】プラグの側面図である。
【図１４】プラグの背面図である。
【図１５】プラグの平面図である。
【図１６】プラグの底面図である。
【図１７】図１２のＥ−Ｅ線断面図である。
【図１８】図１２のＦ−Ｆ線断面図である。
【図１９】ゴルプレートの平面図である。
【図２０】第一タンブラーの正面図である。
【図２１】第一タンブラーの底面図である。
【図２２】図２０のＧ−Ｇ線断面図（図２３のＨ−Ｈ線断面図を兼ねる）である。
【図２３】第二タンブラーの正面図である。
【図２４】第二タンブラーの底面図である。
【図２５】タンブラプレートの正面図である。
【図２６】タンブラプレートの底面図である。
【図２７】図２５のＩ−Ｉ線断面図である。
【図２８】レトラクターを示す図面であり、（ａ）は平面図、（ｂ）は正面図、（ｃ）は（ｂ）のＪ−Ｊ線断面図である。
【図２９】サイドバーを示す図面であり、（ａ）は平面図、（ｂ）は正面図、（ｃ）は側面図である。
【図３０】ベースプラグの正面図である。
【図３１】ベースプラグの側面図である。
【図３２】図３０のＫ−Ｋ線断面図である。
【図３３】図３０のＬ−Ｌ線断面図である。
【図３４】ジョイントチップを示す図面であり、（ａ）は平面図、（ｂ）は正面図、（ｃ）は底面図、（ｄ）は側面図、（ｅ）は（ａ）のＭ−Ｍ線断面図、（ｆ）は（ｃ）のＮ−Ｎ線断面図である。
【図３５】正規キーを示す図面であり、（ａ）は平面図、（ｂ）は底面図、（ｃ）は（ｂ）のＯ−Ｏ線断面図である。
【図３６】図３５の正規キーにコードチェンジバーを取り付けた図面であり、（ａ）は平面図、（ｂ）は底面図、（ｃ）は（ｂ）のＰ−Ｐ線断面図である。
【図３７】図３６のコードチェンジバーを示す図面であり、（ａ）は正面図、（ｂ）は側面図、（ｃ）は背面図、（ｄ）は底面図、（ｅ）は（ｂ）の横断面図である。
【図３８】新コードキーの平面図である。
【図３９】施錠状態のシリンダ錠の水平断面図である。
【図４０】施錠状態のシリンダ錠におけるタンブラー孔部分での断面図（図３９の横断面図）である。
【図４１】施錠状態のシリンダ錠におけるジョイントチップ近傍部分での断面図（図３９の横断面図）である。
【図４２】正規キー挿入時のシリンダ錠の水平断面図である。
【図４３】正規キー挿入時のシリンダ錠におけるタンブラー孔部分での断面図（施錠状態、図４２の横断面図）である。
【図４４】正規キー挿入時のシリンダ錠におけるタンブラー孔部分での断面図（解錠途中状態、図４２の横断面図）である。
【図４５】正規キー挿入時のシリンダ錠におけるタンブラー孔部分での断面図（９０°回転、解錠状態、図４２の横断面図）である。
【図４６】正規キー挿入時のシリンダ錠におけるジョイントチップ近傍部分での断面図（解錠途中状態、図４２の横断面図）である。
【図４７】正規キー挿入時のシリンダ錠におけるジョイントチップ近傍部分での断面図（９０°回転、解錠状態、図４２の横断面図）である。
【図４８】コード変更操作時のシリンダ錠の水平断面図である。
【図４９】コード変更操作時のシリンダ錠におけるタンブラー孔部分での断面図（回動前の状態、図４８の横断面図）である。
【図５０】コード変更操作時のシリンダ錠におけるタンブラー孔部分での断面図（回動途中状態、図４８の横断面図）である。
【図５１】コード変更操作時のシリンダ錠におけるタンブラー孔部分での断面図（１４０°回転、回動終了状態、図４８の横断面図）である。
【図５２】コード変更操作時のシリンダ錠におけるジョイントチップ近傍部分での断面図（回動規制状態、図４８の横断面図）である。
【図５３】コード変更操作時のシリンダ錠におけるタンブラー孔部分での断面図（１４０°回転、キー引き抜き状態、図４８の横断面図）である。
【図５４】新コードキー挿入時のシリンダ錠におけるタンブラー孔部分での断面図（１４０°回転、新コードキー挿入状態）である。
【図５５】新コードキー挿入時のシリンダ錠におけるタンブラー孔部分での断面図（回動途中状態）である。
【図５６】新コードキー挿入時のシリンダ錠におけるタンブラー孔部分での断面図（回動終了状態）である。
【図５７】新コードキー挿入時のシリンダ錠の水平断面図（回動終了状態）である。
【図５８】従来例の可変コード型シリンダ錠の縦断面図である。
【図５９】従来例の可変コード型シリンダ錠の正面図である。
【図６０】図５８の一部破断背面図である。
【図６１】図５８のａ−ａ断面図である。
【図６２】図６１のｂ−ｂ断面図である。
【図６３】リセットボタンの操作を説明する可変コード型シリンダ錠の要部縦断面図である。
【図６４】図６３の一部破断背面図である。
【図６５】リセットボタンを操作し、且つ、プラグを１８０度回動した状態を説明する断面図である。
【図６６】図６５のｃ−ｃ断面図である。
【図６７】図６６の背面図である。
【図６８】一次可変キーを挿入した状態を示す断面図である。
【図６９】一次可変キーを回動した状態を示す縦断面図である。
【図７０】図６９のｄ−ｄ断面図である。
【図７１】図５８のｅ−ｅ断面である。
【符号の説明】
１  シリンダ錠
２  ケース
３  キャップ
４  ベースプラグ
５  カム
６  ジョイントストッパーピン（回動規制部材）
７  プラグジョイントスプリング（バネ部材）
８  ジョイントチップ
９  プラグ
１０  鍵孔
１１  ゴルプレート
１２  タンブラー
１３  タンブラプレート
１４  レトラクター
１５  サイドバースプリング
１６  サイドバー
１７  第一タンブラー
１８  第二タンブラー
２１  環状溝
２２  環状突起
２３  雄ネジ部
２４  回動規制突起
２５  略環状凹部
２６、２７  係合凹部
２８  回動規制凹部（凹み）
２９  クリップ
３０  切り欠き面
３５  開口部
３６  環状溝
３７  取り付け孔
３８  回動規制部
４１  ゴルプレート収容孔
４２  プラグ側被係合部
４３  タンブラー孔
４４  レトラクター収容孔
４５  サイドバー収容孔
４６  凹部
４７  突起
４８  回動規制突起
５１  孔
５２  突起
５５  基部
５６  アーム部
５７  突条
５８  溝
５９  被駆動部
６０  傾斜面
６１  噛合部（係合部）
６２  段部
６５  基部
６６  アーム部
６７  突条
６８  溝
６９  被駆動部
７０  傾斜面
７１  噛合部（係合部）
７２  段部
７５  被噛合部（被係合部）
７６  突条
７７  溝
７８  サイドバー係合溝
７９  ダミーサイドバー係合溝
８１  隆起
８２  凹部
８３  ガイド
８４  凹部
８５  先端部
８６  後端部
８７  切り欠き
８８  凹み
９１  基部
９２  タング部
９３  摺接面
９４  フランジ部
９５  回動部
９６  ベース側被係合部
９７  ピン孔
９８  受け部
９９  切り欠き面
１００  雄ネジ部
１０５  基部
１０６  ジョイントチップ側係合部
１０７  駆動部
１０８  受け部
１０９  被押動部
１１０  傾斜面
１２０  正規キー（キー）
１２１  摘み操作部
１２２  鍵本体部
１２３  第一コード部（コード部）
１２４  第二コード部（コード部）
１２５  溝
１２６  取り付け溝
１３０  コードチェンジバー
１３１  本体部
１３２  挿入部
１３３  支持部
１３４  押動部
１３５  孔
１３６  押動部本体
１３７  係止片
１４０  新コードキー（キー）
１４１  摘み操作部
１４２  鍵本体部
１４３  第一コード部（コード部）
１４４  第二コード部（コード部）
【図１】
0004194723.tif 000002
【図２】
0004194723.tif 000003
【図３】
0004194723.tif 000004
【図４】
0004194723.tif 000005
【図５】
0004194723.tif 000006
【図６】
0004194723.tif 000007
【図７】
0004194723.tif 000008
【図８】
0004194723.tif 000009
【図９】
0004194723.tif 000010
【図１０】
0004194723.tif 000011
【図１１】
0004194723.tif 000012
【図１２】
0004194723.tif 000013
【図１３】
0004194723.tif 000014
【図１４】
0004194723.tif 000015
【図１５】
0004194723.tif 000016
【図１６】
0004194723.tif 000017
【図１７】
0004194723.tif 000018
【図１８】
0004194723.tif 000019
【図１９】
0004194723.tif 000020
【図２０】
0004194723.tif 000021
【図２１】
0004194723.tif 000022
【図２２】
0004194723.tif 000023
【図２３】
0004194723.tif 000024
【図２４】
0004194723.tif 000025
【図２５】
0004194723.tif 000026
【図２６】
0004194723.tif 000027
【図２７】
0004194723.tif 000028
【図２８】
0004194723.tif 000029
【図２９】
0004194723.tif 000030
【図３０】
0004194723.tif 000031
【図３１】
0004194723.tif 000032
【図３２】
0004194723.tif 000033
【図３３】
0004194723.tif 000034
【図３４】
0004194723.tif 000035
【図３５】
0004194723.tif 000036
【図３６】
0004194723.tif 000037
【図３７】
0004194723.tif 000038
【図３８】
0004194723.tif 000039
【図３９】
0004194723.tif 000040
【図４０】
0004194723.tif 000041
【図４１】
0004194723.tif 000042
【図４２】
0004194723.tif 000043
【図４３】
0004194723.tif 000044
【図４４】
0004194723.tif 000045
【図４５】
0004194723.tif 000046
【図４６】
0004194723.tif 000047
【図４７】
0004194723.tif 000048
【図４８】
0004194723.tif 000049
【図４９】
0004194723.tif 000050
【図５０】
0004194723.tif 000051
【図５１】
0004194723.tif 000052
【図５２】
0004194723.tif 000053
【図５３】
0004194723.tif 000054
【図５４】
0004194723.tif 000055
【図５５】
0004194723.tif 000056
【図５６】
0004194723.tif 000057
【図５７】
0004194723.tif 000058
【図５８】
0004194723.tif 000059
【図５９】
0004194723.tif 000060
【図６０】
0004194723.tif 000061
【図６１】
0004194723.tif 000062
【図６２】
0004194723.tif 000063
【図６３】
0004194723.tif 000064
【図６４】
0004194723.tif 000065
【図６５】
0004194723.tif 000066
【図６６】
0004194723.tif 000067
【図６７】
0004194723.tif 000068
【図６８】
0004194723.tif 000069
【図６９】
0004194723.tif 000070
【図７０】
0004194723.tif 000071
【図７１】
0004194723.tif 000072